(57)【要約】【課題】カレントトランスを用いることなく、電源電圧変動による故障が発生するおそれを低減することができる共振制御回路、定着装置、及び画像形成装置を提供する。【解決手段】受電端子４０１，４０２の間に接続されたスイッチング素子Ｑ１，Ｑ２の直列回路と、スイッチング素子Ｑ１，Ｑ２の接続点Ｐ１に接続された共振回路４１と、スイッチング素子Ｑ１，Ｑ２と並列に接続されたダイオードＤ１，Ｄ２と、スイッチング周期Ｔｓ１で、スイッチング素子Ｑ１，Ｑ２を同時にオンさせないように交互にオン、オフさせることによって、共振回路４１に共振を生じさせる共振制御部４２１と、スイッチング素子Ｑ１の両端間の電圧を検出し、検出された電圧が判定電圧Ｖ１を超えているとき、共振制御部４２１による制御に関わらず、スイッチング素子Ｑ１をオフ状態に維持させるコンパレーター４３とを備えた。【選択図】図３
2014124016.tif 000002
【特許請求の範囲】
【請求項１】
電源電圧を受電する第１及び第２受電端子と、
第１スイッチング素子と第２スイッチング素子とが直列に接続されて構成されたスイッチング素子の直列回路であって、前記第１受電端子と前記第２受電端子との間に接続されたスイッチング直列回路と、
前記第１スイッチング素子と前記第２スイッチング素子の接続点に接続された共振回路と、
前記第１スイッチング素子と並列に、前記電源電圧に対して逆方向となる向きに接続された第１ダイオードと、
前記第２スイッチング素子と並列に、前記電源電圧に対して逆方向となる向きに接続された第２ダイオードと、
予め設定された第１スイッチング周期で、前記第１スイッチング素子と前記第２スイッチング素子とを同時にオンさせないように交互にオン、オフさせることによって、前記共振回路に共振を生じさせるスイッチング制御を行う共振制御部と、
前記第１スイッチング素子の両端間の電圧を検出する電圧検出部と、
前記電圧検出部によって検出された電圧が、予め設定された判定電圧を超えているとき、前記共振制御部による前記スイッチング制御に関わらず、前記第１スイッチング素子をオフ状態に維持させる停止制御部とを備える共振制御回路。
【請求項２】
前記共振制御部が前記第１スイッチング素子をオンさせるべきタイミングにおいて前記電圧検出部によって検出された電圧が、予め設定された設定時間内において前記判定電圧を超えた回数を計数する計数部を備え、
前記共振制御部は、
前記計数部によって計数された回数が、予め設定された判定回数を超えたとき、前記スイッチング制御における前記第１及び第２スイッチング素子をオン、オフさせる周期を、前記第１スイッチング周期より短い第２スイッチング周期に変更する請求項１記載の共振制御回路。
【請求項３】
前記共振制御部は、
前記オン、オフさせる周期を前記第２スイッチング周期に変更した後、前記計数部によって計数された回数が、前記判定回数を下回ったとき、前記オン、オフさせる周期を、前記第１スイッチング周期に変更する請求項２記載の共振制御回路。
【請求項４】
前記共振制御部によって、前記オン、オフさせる周期が前記第２スイッチング周期から前記第１スイッチング周期に変更された場合、前記オン、オフさせる周期が前記第２スイッチング周期から前記第１スイッチング周期に変更されたことを示す情報を記憶する記憶部をさらに備える請求項３記載の共振制御回路。
【請求項５】
前記共振制御部が前記第１スイッチング素子をオンさせるべきタイミングにおいて前記電圧検出部によって検出された電圧が、予め設定された設定時間内において前記判定電圧を超えた回数を計数する計数部と、
前記計数部によって計数された回数が、予め設定された判定回数を超えたとき、予め設定された報知を行う報知部とを備える請求項１〜４のいずれか１項に記載の共振制御回路。
【請求項６】
前記報知部は、
前記報知を行っている期間中において、前記計数部によって計数された回数が予め設定された判定回数を超えたとき、前記報知を停止する請求項５記載の共振制御回路。
【請求項７】
前記報知部によって、前記報知が停止された場合、前記報知が停止されたことを示す情報を記憶する記憶部をさらに備える請求項６記載の共振制御回路。
【請求項８】
請求項１〜７のいずれか１項に記載の共振制御回路と、
トナー像が形成された用紙を加熱することにより、前記トナー像を前記用紙に定着させるための熱を発生する加熱部材とを備え、
前記共振回路は、
電磁誘導により前記加熱部材を発熱させる励磁コイルを含む定着装置。
【請求項９】
請求項８記載の定着装置と、
前記用紙にトナー像を形成する画像形成部とを備える画像形成装置。
【発明の詳細な説明】
【技術分野】
【０００１】
本発明は、共振制御回路、その共振制御回路を用いた定着装置、及びその定着装置を用いた画像形成装置に関する。
【背景技術】
【０００２】
海外では、電源事情が劣悪な環境が珍しくない。そこで、電力供給量の上限が低い環境において、電源ブレーカーが遮断することを防止するために、電源ブレーカーの遮断状況を学習すると共に、消費電流を検出する電流センサーを備え、電流センサーで検出された消費電流と電源ブレーカーの遮断状況とに基づき、電源ブレーカーを遮断に至らせないように、装置の動作を制御する技術が知られている（例えば、特許文献１）。
【０００３】
また、電源事情が劣悪なために、商用電源電圧が大きく変動すると、回路の故障を招くおそれがある。例えば、励磁コイルに流れる電流をスイッチングすることで、誘導加熱を行う誘導加熱装置において、電源電圧が上昇すると、電流スイッチングに用いられるスイッチング素子に過度の電流が流れ、スイッチング素子の故障を招くおそれがある。そこで、励磁コイルに流れる電流をカレントトランスによって検出し、励磁コイルに流れる電流が基準値を超えないように制限する技術が知られている（例えば、特許文献２）。
【先行技術文献】
【特許文献】
【０００４】
【特許文献１】特開平５−３８０５０号公報
【特許文献２】特開２００６−１４５６７２号公報
【発明の概要】
【発明が解決しようとする課題】
【０００５】
ところで、特許文献２に記載されているように、電流検出手段としてはカレントトランスを用いることが一般的である。しかしながら、カレントトランスは高価であり、部品のサイズも大きい。一方、電圧を検出する手段としては、コンパレーターやアナログデジタルコンバーターなど、カレントトランスより安価でサイズの小さい部品を用いることが可能である。
【０００６】
本発明の目的は、カレントトランスを用いることなく、電源電圧変動による故障が発生するおそれを低減することができる共振制御回路、定着装置、及び画像形成装置を提供することである。
【課題を解決するための手段】
【０００７】
本発明に係る共振制御回路は、電源電圧を受電する第１及び第２受電端子と、第１スイッチング素子と第２スイッチング素子とが直列に接続されて構成されたスイッチング素子の直列回路であって、前記第１受電端子と前記第２受電端子との間に接続されたスイッチング直列回路と、前記第１スイッチング素子と前記第２スイッチング素子の接続点に接続された共振回路と、前記第１スイッチング素子と並列に、前記電源電圧に対して逆方向となる向きに接続された第１ダイオードと、前記第２スイッチング素子と並列に、前記電源電圧に対して逆方向となる向きに接続された第２ダイオードと、予め設定された第１スイッチング周期で、前記第１スイッチング素子と前記第２スイッチング素子とを同時にオンさせないように交互にオン、オフさせることによって、前記共振回路に共振を生じさせるスイッチング制御を行う共振制御部と、前記第１スイッチング素子の両端間の電圧を検出する電圧検出部と、前記電圧検出部によって検出された電圧が、予め設定された判定電圧を超えているとき、前記共振制御部による前記スイッチング制御に関わらず、前記第１スイッチング素子をオフ状態に維持させる停止制御部とを備える。
【０００８】
この構成によれば、共振制御部によって、第１スイッチング周期で、第１スイッチング素子と第２スイッチング素子とが同時にオンしないように交互にオン、オフされることによって、共振回路に共振が生じる。そして、停止制御部は、第１スイッチング素子の両端間の電圧が判定電圧を超えているとき、共振制御部によるスイッチング制御に関わらず第１スイッチング素子をオフ状態に維持するから、第１スイッチング素子の両端間の電圧が判定電圧を超える高電圧になっているときは、第１スイッチング素子がオンされることがなく、従ってハードスイッチングが生じるおそれが低減される。これにより、カレントトランスを用いることなく、電源電圧変動によって共振に用いられるスイッチング素子において故障が発生するおそれを低減することができる。
【０００９】
また、前記共振制御部が前記第１スイッチング素子をオンさせるべきタイミングにおいて前記電圧検出部によって検出された電圧が、予め設定された設定時間内において前記判定電圧を超えた回数を計数する計数部を備え、前記共振制御部は、前記計数部によって計数された回数が、予め設定された判定回数を超えたとき、前記スイッチング制御における前記第１及び第２スイッチング素子をオン、オフさせる周期を、前記第１スイッチング周期より短い第２スイッチング周期に変更することが好ましい。
【００１０】
この構成によれば、計数部によって、第１スイッチング素子をオンさせるべきタイミングにおいて電圧検出部によって検出された電圧が、予め設定された設定時間内において判定電圧を超えた回数が計数部によって計数される。そうすると、計数部によって計数された回数は、電源電圧の変動が生じる頻度を表すことになる。そこで、計数部によって計数された回数が判定回数を超えたとき、すなわち電源電圧変動の頻度が高く、電源電圧が不安定な状態になっているとき、共振制御部は、第１及び第２スイッチング素子をオン、オフさせる周期を第１スイッチング周期より短い第２スイッチング周期に変更することによって、共振により第１及び第２スイッチング素子の両端に印加される電圧を低下させる。これにより、電源電圧が不安定な状況において第１及び第２スイッチング素子に印加される電圧ストレスを低減することができる結果、共振に用いられるスイッチング素子において故障が発生するおそれを低減することができる。
【００１１】
また、前記共振制御部は、前記オン、オフさせる周期を前記第２スイッチング周期に変更した後、前記計数部によって計数された回数が、前記判定回数を下回ったとき、前記オン、オフさせる周期を、前記第１スイッチング周期に変更することが好ましい。
【００１２】
計数部によって計数された回数が判定回数を下回ることは、電源電圧が変動する頻度が減少し、電源電圧が安定状態になったことを意味する。そこで、共振制御部は、電源電圧が不安定になったために第２スイッチング周期に変更していた第１及び第２スイッチング素子のスイッチング周期を、共振回路の共振により適した第１スイッチング周期に戻す。これにより、共振回路の共振により生じる共振電流を増大させることができる。
【００１３】
また、前記共振制御部によって、前記オン、オフさせる周期が前記第２スイッチング周期から前記第１スイッチング周期に変更された場合、前記オン、オフさせる周期が前記第２スイッチング周期から前記第１スイッチング周期に変更されたことを示す情報を記憶する記憶部をさらに備えることが好ましい。
【００１４】
例えば保守作業者が共振制御回路やこれを用いた装置の保守作業を行う場合、第１及び第２スイッチング素子のスイッチング周期が第２スイッチング周期になっていれば、電源事情が不安定であると判断して、例えば電源配線を強化したり、電源フィルターを取り付けたりすることで、電源電圧を安定化することが可能である。しかしながら、一時的に電源電圧が安定化して第１及び第２スイッチング素子のスイッチング周期が第１スイッチング周期に戻された状態になっていると、保守作業者が電源状況を把握することができない。そこで、スイッチング周期を第２スイッチング周期から第１スイッチング周期に戻したことを示す情報を記憶部に記憶させるようにすると、保守作業者が、記憶部の記憶内容を確認することで電源状況を把握することが可能になる。
【００１５】
また、前記共振制御部が前記第１スイッチング素子をオンさせるタイミングにおいて前記電圧検出部によって検出された電圧が、予め設定された設定時間内において前記判定電圧を超えた回数を計数する計数部と、前記計数部によって計数された回数が、予め設定された判定回数を超えたとき、予め設定された報知を行う報知部とを備えるようにしてもよい。
【００１６】
上述したように、計数部によって計数された回数は、電源電圧の変動が生じる頻度を表すことになる。そこで、計数部によって計数された回数が判定回数を超えたとき、すなわち電源電圧変動の頻度が高く、電源電圧が不安定な状態になっているとき、報知部が、電源電圧が不安定であることを示す所定の報知を行うことによって、ユーザーや保守作業者に対して、電源電圧が不安定な状況になっていることを知らせることができる。
【００１７】
また、前記報知部は、前記報知を行っている期間中において、前記計数部によって計数された回数が予め設定された判定回数を超えたとき、前記報知を停止することが好ましい。
【００１８】
計数部によって計数された回数が判定回数を下回ることは、電源電圧が変動する頻度が減少し、電源電圧が安定状態になったことを意味する。そこで、報知部は、電源電圧が不安定であることを示す報知を停止する。これにより、リアルタイムに電源電圧の状況をユーザーや保守作業者に知らせることができる。
【００１９】
また、前記報知部によって、前記報知が停止された場合、前記報知が停止されたことを示す情報を記憶する記憶部をさらに備えることが好ましい。
【００２０】
例えば保守作業者が共振制御回路やこれを用いた装置の保守作業を行う場合、報知部によって予め設定された報知がされていれば、電源事情が不安定であると判断して、例えば電源配線を強化したり、電源フィルターを取り付けたりすることで、電源電圧を安定化することが可能である。しかしながら、一時的に電源電圧が安定化して報知が停止された状態になっていると、保守作業者が電源状況を把握することができない。そこで、報知が停止されたことを示す情報を記憶部に記憶させるようにすると、保守作業者が、記憶部の記憶内容を確認することで電源状況を把握することが可能になる。
【００２１】
また、本発明に係る定着装置は、上述の共振制御回路と、トナー像が形成された用紙を加熱することにより、前記トナー像を前記用紙に定着させるための熱を発生する加熱部材とを備え、前記共振回路は、電磁誘導により前記加熱部材を発熱させる励磁コイルを含む。
【００２２】
この構成によれば、トナー像を用紙に定着させる加熱部材を誘導加熱するための高周波電流を生成する共振回路において、カレントトランスを用いることなく、電源電圧変動によって共振に用いられるスイッチング素子が故障するおそれを低減することができる。
【００２３】
また、本発明に係る画像形成装置は、上述の定着装置と、前記用紙にトナー像を形成する画像形成部とを備える。
【００２４】
この構成によれば、誘導加熱方式の定着装置を備えた画像形成装置において、電源電圧変動に起因して共振に用いられるスイッチング素子が故障するおそれを低減することができる。
【発明の効果】
【００２５】
このような構成の共振制御回路、その共振制御回路を用いた定着装置、及びその定着装置を用いた画像形成装置は、カレントトランスを用いることなく、電源電圧変動による故障が発生するおそれを低減することができる。
【図面の簡単な説明】
【００２６】
【図１】本発明の一実施形態に係る画像形成装置の内部構成を概略的に示した側面図である。
【図２】図１に示す定着装置の概略的な断面図である。
【図３】本発明の一実施形態に係る共振制御回路の構成の一例を示す回路図である。
【図４】図３に示す共振制御回路の動作を説明するためのタイミングチャートである。
【図５】図３に示す共振制御回路の動作を説明するためのタイミングチャートである。
【発明を実施するための形態】
【００２７】
以下、本発明に係る実施形態を図面に基づいて説明する。なお、各図において同一の符号を付した構成は、同一の構成であることを示し、その説明を省略する。図１は、本発明の一実施形態に係る画像形成装置１の内部構成を概略的に示した側面図である。尚、画像形成装置１は、複写機、プリンタ及びファクシミリ機等であり、用紙に転写されたトナー像を加圧、加熱によって定着させるプロセスを持つ画像形成装置であればよい。画像形成装置１は、本体部２、本体部２の左方に配設されたスタックトレイ３、本体部２の上部に配設された原稿読取部４、原稿読取部４の上方に配設された原稿給送部５を備えている。
【００２８】
また、画像形成装置１のフロント部には、入力操作部６が設けられている。この入力操作部６には、電源キーやユーザが印刷実行指示を入力するためのスタートキー、印刷部数等を入力するためのテンキー、各種複写動作の操作ガイド情報等を表示し、これら各種設定入力用にタッチパネル機能を有する液晶ディスプレイ等からなる表示部９等を有する。
【００２９】
原稿読取部４は、ＣＣＤ(Charge Coupled Device)やＣＭＯＳ（Complementary Metal Oxide Semiconductor）等のイメージセンサ及び露光ランプ等からなるスキャナ部１３、ガラス等の透明部材により構成された原稿台１４及び原稿読取スリット１５を備える。スキャナ部１３は、図略の駆動部によって移動可能に構成され、原稿台１４に載置された原稿を読み取るときは、原稿台１４に対向する位置で原稿面に沿って移動され、原稿画像を走査しつつ取得した画像データを画像メモリ（不図示）へ出力する。また、原稿給送部５により給送された原稿を読み取るときは、原稿読取スリット１５と対向する位置に移動され、原稿読取スリット１５を介して原稿給送部５による原稿の搬送動作と同期して原稿の画像を取得し、その画像データを画像メモリへ出力する。
【００３０】
原稿給送部５は、原稿を載置するための原稿載置部１６と、画像読み取り済みの原稿を排出するための原稿排出部１７、原稿載置部１６に載置された原稿を１枚ずつ繰り出して原稿読取スリット１５に対向する位置へ搬送し、原稿排出部１７へ排出するための給紙ローラや搬送ローラ（不図示）等からなる原稿搬送機構１８を備える。
【００３１】
また、原稿給送部５は、その前面側が上方に移動可能となるように本体部２に対して回動自在に設けられている。原稿給送部５の前面側を上方に移動させて原稿台１４上面を開放することにより、原稿台１４の上面に読み取り原稿、例えば見開き状態にされた書籍等をユーザが載置できるようになっている。
【００３２】
本体部２は、複数の給紙カセット１９と、給紙カセット１９から用紙を１枚ずつ繰り出して画像形成部２１へ搬送する給紙ローラ２０と、給紙カセット１９から搬送されてきた用紙に画像を形成する画像形成部２１とを備える。
【００３３】
画像形成部２１は、スキャナ部１３で取得された画像データに基づきレーザ光等を出力して感光体ドラム２２を露光し、感光体ドラム２２の表面に静電潜像を形成する光学ユニット２３と、静電潜像が形成された感光体ドラム２２の表面にトナーを付着することによりトナー像を形成する現像部２４と、感光体ドラム２２上のトナー像を用紙に転写する転写部２５とを備える。
【００３４】
定着装置２８は、トナー像が転写された用紙を加熱してトナー像を用紙に融解定着させるベルトユニット２６及び加圧ローラ２７を備える。
【００３５】
画像形成部２１内の用紙搬送路中には、用紙をスタックトレイ３又は排出トレイ２９まで搬送する搬送ローラ対３０及び３１等が備えられている。
【００３６】
また、用紙の両面に画像を形成する場合は、画像形成部２１で用紙の一方の面に画像を形成した後、この用紙を排出トレイ２９側の搬送ローラ対３０，３１にニップされた状態とする。この状態で搬送ローラ対３０，３１を反転させて用紙をスイッチバックさせ、搬送ローラ対３８及び３９が用紙を用紙搬送路３２に送って画像形成部２１の上流域に再度搬送し、画像形成部２１により他方の面に画像を形成した後、用紙をスタックトレイ３又は排出トレイ２９に排出する。
【００３７】
図２は、図１に示す定着装置２８の概略的な断面図である。定着装置２８は、上述のベルトユニット２６及び加圧ローラ２７に加えて、ベルト２６３及び第２ローラ２６２を加熱するＩＨコイルユニット５３０を含む。また、定着装置２８は、後述する共振制御回路４０を含んでおり、ＩＨコイルユニット５３０は、共振制御回路４０から供給された高周波電流によって、誘導加熱装置として機能する。
【００３８】
ベルトユニット２６は、加圧ローラ２７と対向配置される第１ローラ２６１と、第２ローラ２６２と、第１ローラ２６１と第２ローラ２６２とに架け渡されるように巻き回されるベルト２６３とを備える。加圧ローラ２７は、第１ローラ２６１と協働して、ベルト２６３を挟む。加圧ローラ２７とベルト２６３との間には、フラットニップが形成される。
【００３９】
ベルト２６３は、例えば、厚さ寸法約３０μｍ以上約５０μｍ以下のニッケル電鋳基材と、ニッケル電鋳基材上に積層されるシリコンゴム層と、シリコンゴム層上に形成される離型層（例えば、ＰＦＡ層）を含む。ベルト２６３は、加熱部材の一例に相当している。
【００４０】
第２ローラ２６２は、例えば、外径３０ｍｍの円筒状に形成される。第２ローラ２６２は、円筒形状の鉄基材と、鉄基材外周面に形成される肉厚寸法０．２ｍｍ以上１．０ｍｍ以下の離型層（例えば、ＰＦＡ層）を含む。
【００４１】
第１ローラ２６１は、例えば、円柱状に形成される。第１ローラ２６１は、ステンレス鋼からなる外径４５ｍｍの芯金ローラと、芯金ローラの外周面を被覆する厚さ５ｍｍ以上１０ｍｍ以下のシリコンゴムからなるスポンジ層を含む。
【００４２】
加圧ローラ２７は、例えば、外径５０ｍｍの円柱状に形成される。加圧ローラ２７は、ステンレス鋼からなる芯金ローラ、芯金ローラ外周面を被覆する厚さ２ｍｍ以上５ｍｍ以下のシリコンゴムからなるスポンジ層及び離型層（例えば、ＰＦＡ層）を含む。加圧ローラ２７の金属製の芯材は、例えば、ＦｅやＡｌを用いて形成されてもよい。この芯材上にＳｉゴム層が形成されてもよい。さらにＳｉゴム層の表層にフッ素樹脂層が形成されてもよい。
【００４３】
ＩＨコイルユニット５３０は、ベルト２６３及び第２ローラ２６２を誘導加熱する励磁コイル５３１と、励磁コイル５３１を支持するプラットフォーム２００とを備える。ＩＨコイルユニット５３０は、励磁コイル５３１によって発生する磁界中の磁力線の経路を規定する一対のサイドコア５３３、一対のアーチコア５３４及びセンタコア５３５を備える。
【００４４】
一対のアーチコア５３４及びセンタコア５３５は、それぞれ、第１ローラ２６１の回転中心軸Ｘ１、第２ローラ２６２の回転中心軸Ｘ２及び加圧ローラ２７の回転中心軸Ｘ３を結ぶ直線ＬＮに対して対称に配設されている。そして、一対のアーチコア５３４の間にセンタコア５３５が配設されている。一対のサイドコア５３３、一対のアーチコア５３４及びセンタコア５３５は、プラットフォーム２００によって支持される。
【００４５】
一対のサイドコア５３３、及び一対のアーチコア５３４は、例えばフェライトを用いて構成されている。また、センタコア５３５は、例えば円柱状の導電性シャフト５３８と、導電性シャフト５３８を被覆する円筒形状の磁性筒５３９とを用いて構成されている。
【００４６】
プラットフォーム２００は、第２ローラ２６２の周面に沿う湾曲面を含むコイル支持部２０１を備える。コイル支持部２０１は、ベルト２６３及び第２ローラ２６２を誘導加熱するための磁界を生じさせる励磁コイル５３１を支持する。
【００４７】
励磁コイル５３１は、コイル支持部２０１、サイドコア５３３及びアーチコア５３４で囲まれる空間内でループ状のコイル面を形成する。
【００４８】
上述の如く、コイル支持部２０１は、第２ローラ２６２上のベルト２６３の円弧状の外面に沿うように形成される。励磁コイル５３１は、コイル支持部２０１を取り巻くように配置される。この結果、励磁コイル５３１は、湾曲したコイル支持部２０１に沿って連設され、略円弧状の断面を有するループ状のコイル面を形成する。そして、第２ローラ２６２の略半分は、励磁コイル５３１に取り囲まれている。
【００４９】
そして、励磁コイル５３１に高周波電流が流れると、ベルト２６３及び第２ローラ２６２が誘導加熱される。さらに、図略の駆動機構が第１ローラ２６１を図２における時計回りに駆動回転することによって、第２ローラ２６２が従動回転すると共に、加熱されたベルト２６３が加圧ローラ２７と第１ローラ２６１とのニップ部へ向かう。その結果、加圧ローラ２７とベルト２６３とでニップされた用紙Ｐが加熱されて、用紙Ｐにトナー像が定着される。
【００５０】
なお、定着装置２８は、ベルトユニット２６の代わりにベルトを用いない加熱ローラを備えていてもよい。
【００５１】
図３は、本発明の一実施形態に係る共振制御回路４０の構成の一例を示す回路図である。図３に示す共振制御回路４０は、受電端子４０１，４０２、スイッチング素子Ｑ１（第１スイッチング素子の一例）、スイッチング素子Ｑ２（第２スイッチング素子の一例）、ダイオードＤ１（第１ダイオード）、ダイオードＤ２（第２ダイオード）、共振回路４１、制御部４２、ゲートドライバーＢ１，Ｂ２、抵抗Ｒ１〜Ｒ３、基準電圧源Ｅ１、及びコンパレーター４３を備えて構成されている。
【００５２】
受電端子４０１，４０２は、ダイオードブリッジＤＢを介して商用電源ＡＣに接続される。従って、受電端子４０１，４０２間には、全波整流された交流電圧が、電源電圧として印加される。なお、受電端子４０１，４０２間に印加される電源電圧は、全波整流された交流電圧に限られず、例えば直流電源電圧であってもよい。また、受電端子４０１，４０２は、電源電圧を受電するものであればよく、例えば電極やコネクタ、端子台等であってもよく、ランドやパッド等の配線パターンであってもよい。
【００５３】
受電端子４０１は、共振制御回路４０の回路グラウンドとなっている。
【００５４】
スイッチング素子Ｑ１，Ｑ２は、例えばＩＧＢＴ（Insulated Gate Bipolar Transistor）である。なお、スイッチング素子Ｑ１，Ｑ２としては、ＦＥＴ（Field Effect Transistor）、バイポーラトランジスタ等、種々のスイッチング素子を用いることができる。スイッチング素子Ｑ１，Ｑ２は、直列接続されて、スイッチング直列回路を構成している。
【００５５】
そして、スイッチング素子Ｑ２のコレクタが受電端子４０２に接続され、スイッチング素子Ｑ２のエミッタがスイッチング素子Ｑ１のコレクタに接続され、スイッチング素子Ｑ１のエミッタが受電端子４０１（回路グラウンド）に接続されている。
【００５６】
また、スイッチング素子Ｑ１のコレクタにダイオードＤ１のカソードが接続され、スイッチング素子Ｑ１のエミッタにダイオードＤ１のアノードが接続されて、スイッチング素子Ｑ１とダイオードＤ１とが並列接続されている。スイッチング素子Ｑ２のコレクタにダイオードＤ２のカソードが接続され、スイッチング素子Ｑ２のエミッタにダイオードＤ２のアノードが接続されて、スイッチング素子Ｑ２とダイオードＤ２とが並列接続されている。
【００５７】
共振回路４１は、励磁コイル５３１（コイルの一例）と、共振コンデンサＣ１，Ｃ２と、部分共振コンデンサＣ３，Ｃ４とを備えている。
【００５８】
そして、スイッチング素子Ｑ１とスイッチング素子Ｑ２との接続点Ｐ１に励磁コイル５３１の一端が接続され、励磁コイル５３１の他端が共振コンデンサＣ１を介してスイッチング素子Ｑ１のエミッタ（受電端子４０１）に接続されている。すなわち、接続点Ｐ１に共振回路４１が接続されている。
【００５９】
また、励磁コイル５３１の他端と共振コンデンサＣ１との接続点に共振コンデンサＣ２の一端が接続され、共振コンデンサＣ２の他端がスイッチング素子Ｑ２のコレクタ（受電端子４０２）に接続されている。また、スイッチング素子Ｑ１と並列に部分共振コンデンサＣ３が接続され、スイッチング素子Ｑ２と並列に部分共振コンデンサＣ４が接続されている。
【００６０】
なお、共振回路４１は、必ずしも共振コンデンサＣ１，Ｃ２と、部分共振コンデンサＣ３，Ｃ４とをすべて備えるものに限られない。共振回路４１は、励磁コイル５３１によって共振を生じさせるものであればよく、例えば、共振回路４１を励磁コイル５３１と共振コンデンサＣ１とからなる直列共振回路とし、共振コンデンサＣ２と、部分共振コンデンサＣ３，Ｃ４とを備えない構成としてもよい。
【００６１】
接続点Ｐ１は、抵抗Ｒ１，Ｒ２の直列回路を介してグラウンドへ接続されている。これにより、接続点Ｐ１の電圧すなわちスイッチング素子Ｑ１の両端子間の電圧Ｖｓが、抵抗Ｒ１，Ｒ２で分圧され、コンパレーター４３の入力電圧範囲にレベル変換されて、コンパレーター４３のマイナス（−）端子に入力される。
【００６２】
また、コンパレーター４３のプラス（＋）端子には、基準電圧源Ｅ１が接続されている。基準電圧源Ｅ１は、スイッチング素子Ｑ１をオフさせるべき電圧Ｖｓとして予め設定された判定電圧Ｖ１に、抵抗Ｒ１，Ｒ２の分圧比を乗じた電圧を基準電圧として出力する。これにより、コンパレーター４３は、抵抗Ｒ１，Ｒ２で分圧された電圧と、基準電圧源Ｅ１から出力された基準電圧とを比較することで、間接的に電圧Ｖｓと判定電圧Ｖ１とを比較する。
【００６３】
コンパレーター４３は、オープンコレクタ出力にされており、電圧Ｖｓが判定電圧Ｖ１を超えたとき出力端子４３１をローレベルとし、電圧Ｖｓが判定電圧Ｖ１に満たないとき出力端子４３１をハイインピーダンスとする。コンパレーター４３の出力端子４３１は後述する信号ラインＬ１に接続されており、信号ラインＬ１上で制御部４２の出力信号とワイヤードＯＲされている。従って、コンパレーター４３は、電圧Ｖｓが判定電圧Ｖ１を超えたとき出力端子４３１をローレベルとすることで、制御部４２の制御要求にかかわらず、スイッチング素子Ｑ１を強制的にオフさせる。
【００６４】
コンパレーター４３は、電圧検出部としての機能と停止制御部としての機能を両方とも備えており、電圧検出部及び停止制御部の一例に相当している。
【００６５】
なお、必ずしもコンパレーター４３を用いる必要はなく、例えば電圧検出部としてアナログデジタルコンバータなどの電圧検出手段を備え、制御部４２が、電圧検出部によって検出された電圧Ｖｓと判定電圧Ｖ１を示すデータとを比較して、電圧Ｖｓが判定電圧Ｖ１を超えたときにスイッチング素子Ｑ１をオフ状態に維持するようにしてもよい。
【００６６】
基準電圧源Ｅ１は、例えば図略の制御電源の電源電圧を抵抗分圧することで基準電圧を生成してもよく、基準電圧を生成する定電圧回路であってもよい。判定電圧Ｖ１は、例えば商用電源ＡＣの電圧値の１／２程度の電圧値とされている。
【００６７】
ゲートドライバーＢ１，Ｂ２は、制御部４２からの制御信号に応じて、スイッチング素子Ｑ１，Ｑ２をオン、オフさせる駆動回路である。図３に示す例では、ゲートドライバーＢ１の入力端子が信号ラインＬ１を介して制御部４２と接続され、ゲートドライバーＢ２の入力端子が信号ラインＬ２を介して制御部４２と接続されている。信号ラインＬ１は、図略の制御用電源と抵抗Ｒ３を介して接続されている。すなわち、信号ラインＬ１は、抵抗Ｒ３によってプルアップされている。
【００６８】
図３では、ゲートドライバーＢ１，Ｂ２が、信号ラインＬ１，Ｌ２がハイレベルのときに、スイッチング素子Ｑ１，Ｑ２をそれぞれオンさせる例を示している。なお、ゲートドライバーＢ１，Ｂ２は、信号ラインＬ１，Ｌ２がローレベルのときに、スイッチング素子Ｑ１，Ｑ２をそれぞれオンさせる構成であってもよい。
【００６９】
制御部４２は、例えばＣＰＵ（Central Processing Unit）、ＲＯＭ（Read Only Memory）、ＲＡＭ（Random Access Memory）、タイマー回路、例えばＥＥＰＲＯＭ（Electrically Erasable and Programmable Read Only Memory）等の記憶素子を用いて構成された記憶部４２４、及びこれらの周辺回路等を備えて構成されている。
【００７０】
制御部４２は、例えばＲＯＭに記憶された制御プログラムを実行することにより、共振制御部４２１、計数部４２２、及び報知部４２３として機能する。また、信号ラインＬ１と接続された制御部４２の出力端子４２５は、オープンコレクタ出力とされている。
【００７１】
共振制御部４２１は、スイッチング素子Ｑ１をオンさせるときは、出力端子４２５をハイインピーダンスにする。これにより、信号ラインＬ１が抵抗Ｒ３でプルアップされてハイレベルとなる結果、ゲートドライバーＢ１によってスイッチング素子Ｑ１がオンされる。また、共振制御部４２１は、スイッチング素子Ｑ１をオフさせるときは、出力端子４２５をローレベルにする。これにより、信号ラインＬ１がローレベルとなる結果、ゲートドライバーＢ１によってスイッチング素子Ｑ１がオフされる。
【００７２】
共振制御部４２１は、スイッチング素子Ｑ２をオンさせるときは、信号ラインＬ２を介してゲートドライバーＢ２へハイレベルの信号を出力し、ゲートドライバーＢ２によってスイッチング素子Ｑ２をオンさせる。また、共振制御部４２１は、スイッチング素子Ｑ２をオフさせるときは、信号ラインＬ２を介してゲートドライバーＢ２へローレベルの信号を出力し、ゲートドライバーＢ１によってスイッチング素子Ｑ２をオフさせる。なお、制御信号の信号レベルは一例であって、信号レベルとスイッチング素子Ｑ１，Ｑ２のオン、オフ動作との対応関係は上記の例に限らない。
【００７３】
そして、共振制御部４２１は、スイッチング周期Ｔｓ１（第１スイッチング周期）で、スイッチング素子Ｑ１，Ｑ２を同時にオンさせないように交互にオン、オフさせることによって、共振回路４１に共振を生じさせる。
【００７４】
スイッチング周期Ｔｓ１としては、例えば、共振回路４１の共振周期、すなわち共振回路４１の共振周波数の逆数、と略等しい時間が予め設定されている。また、共振回路４１の共振周波数は、商用電源ＡＣの周波数より充分高い周波数、例えば商用電源ＡＣの周波数の１０倍程度の周波数にされている。従って、スイッチング周期Ｔｓ１は、商用電源ＡＣの周期より充分短い時間、例えば商用電源ＡＣの周期の十分の一程度の時間にされている。
【００７５】
共振制御部４２１は、スイッチング周期Ｔｓ１毎に、スイッチング素子Ｑ１をオンさせるべき期間であるオン期間Ｔｏｎ１と、スイッチング素子Ｑ１をオフさせる期間であるオフ期間Ｔｏｆｆ１とを設定する（Ｔｓ１＝Ｔｏｎ１＋Ｔｏｆｆ１）。そして、共振制御部４２１は、オン期間Ｔｏｎ１の間スイッチング素子Ｑ１をオンさせ、オフ期間Ｔｏｆｆ１の間スイッチング素子Ｑ１をオフさせる。
【００７６】
また、共振制御部４２１は、スイッチング周期Ｔｓ１毎に、スイッチング素子Ｑ２をオンさせるべき期間であるオン期間Ｔｏｎ２と、スイッチング素子Ｑ２をオフさせる期間であるオフ期間Ｔｏｆｆ２とを設定する（Ｔｓ１＝Ｔｏｎ２＋Ｔｏｆｆ２）。そして、共振制御部４２１は、オン期間Ｔｏｎ２の間スイッチング素子Ｑ２をオンさせ、オフ期間Ｔｏｆｆ２の間スイッチング素子Ｑ２をオフさせる。
【００７７】
オン期間Ｔｏｎ１は、オフ期間Ｔｏｆｆ１より短く、オン期間Ｔｏｎ２は、オフ期間Ｔｏｆｆ２より短くされている。これにより、共振制御部４２１は、スイッチング素子Ｑ１，Ｑ２のオン、オフの切り替え時に、スイッチング素子Ｑ１，Ｑ２が両方オフするデッドタイムを設けるようになっている。また、オン期間Ｔｏｎ１，Ｔｏｎ２の長さは、共振回路４１の共振周期の１／２より短い時間にされている。
【００７８】
計数部４２２は、予め設定された設定時間Ｔｃ、例えば１時間、の間に、共振制御部４２１によって設定されたオン期間Ｔｏｎ１であって、かつコンパレーター４３の出力がローレベルである条件が成立した回数を計数値ＣＴとして計数する。すなわち、計数部４２２は、共振制御部４２１がスイッチング素子Ｑ１をオンさせるべきタイミングにおいて電圧Ｖｓが判定電圧Ｖ１を超えた回数を計数値ＣＴとして計数する。計数部４２２は、設定時間Ｔｃ毎に新たに計数を繰り返すことで、設定時間Ｔｃ毎に計数値ＣＴを更新するようになっている。
【００７９】
また計数部４２２の計数値ＣＴが、予め設定された判定回数Ｃｊを超えたとき、共振制御部４２１が、スイッチング素子Ｑ１，Ｑ２のスイッチング周期を、スイッチング周期Ｔｓ１からスイッチング周期Ｔｓ１より短いスイッチング周期Ｔｓ２に変更すると共に、報知部４２３が、例えば表示部９に、電源が不安定であることを示すメッセージを表示させて、ユーザーの注意を喚起するための報知を行う。
【００８０】
なお、報知部４２３は、表示部９にメッセージを表示して報知する例に限られず、例えばＬＥＤ（Light Emitting Diode）を点灯したり、ブザーを鳴らしたり、通信回線を介して遠隔の通信端末装置に対して通知を行ったりする構成としてもよい。
【００８１】
また、共振制御部４２１は、スイッチング素子Ｑ１，Ｑ２のスイッチング周期をスイッチング周期Ｔｓ２に変更した後、計数部４２２の計数値ＣＴが判定回数Ｃｊを下回った場合、スイッチング素子Ｑ１，Ｑ２のスイッチング周期をスイッチング周期Ｔｓ１に戻すと共に、スイッチング周期をスイッチング周期Ｔｓ１に戻したことを示す情報を記憶部４２４に記憶させる。
【００８２】
また、報知部４２３は、上記メッセージを表示させるなどして報知を行っている期間中に、計数部４２２の設定時間Ｔｃにおける計数値ＣＴが判定回数Ｃｊを下回った場合、上記報知を停止すると共に、報知が停止されたことを示す情報を記憶部４２４に記憶させる。
【００８３】
次に、上述のように構成された共振制御回路４０の動作について説明する。図４、図５は、図３に示す共振制御回路４０の動作を説明するためのタイミングチャートである。図４の横軸は時間の経過を示しており、図４には、時間の経過に伴うスイッチング素子Ｑ１，Ｑ２のオン、オフ動作と、電圧Ｖｓと、計数値ＣＴとの一例が記載されている。
【００８４】
まず、共振制御部４２１は、タイミングｔ１において、スイッチング素子Ｑ１をオンさせ、オン期間Ｔｏｎ１の経過後、スイッチング素子Ｑ１をオフさせる。以後、スイッチング周期Ｔｓ１毎に、オン期間Ｔｏｎ１の間のみ、スイッチング素子Ｑ１をオンさせる。
【００８５】
また、共振制御部４２１は、タイミングｔ１後のオン期間Ｔｏｎ１が経過してスイッチング素子Ｑ１がオフされた後、デッドタイムが経過したタイミングｔ２において、スイッチング素子Ｑ２をオンさせ、オン期間Ｔｏｎ２の経過後、スイッチング素子Ｑ２をオフさせる。以後、スイッチング周期Ｔｓ１毎に、オン期間Ｔｏｎ２の間のみ、スイッチング素子Ｑ２をオンさせる。
【００８６】
共振制御部４２１は、スイッチング素子Ｑ１をオフしてからスイッチング素子Ｑ２をオンするまでの間にデッドタイムを設けることによって、スイッチング素子Ｑ１，Ｑ２が同時にオンして短絡電流が流れることを防止している。
【００８７】
一方、共振制御部４２１によって、タイミングｔ２において、スイッチング素子Ｑ２がオンされると、ダイオードブリッジＤＢからスイッチング素子Ｑ２、励磁コイル５３１、及び共振コンデンサＣ１へ電流が流れ、共振が開始される。
【００８８】
次に、タイミングｔ２からオン期間Ｔｏｎ２が経過したタイミングにおいて、共振制御部４２１は、スイッチング素子Ｑ２をオフする。そうすると、励磁コイル５３１の逆起電力によって、ダイオードＤ１の順方向に電流が流れる。このとき、電圧Ｖｓは、ダイオードＤ１の順方向電圧に等しいから、ほぼゼロに近い０．７Ｖ程度となっている。
【００８９】
次に、タイミングｔ３において、共振制御部４２１は、スイッチング素子Ｑ２をオフにしたまま、スイッチング素子Ｑ１をオンさせる。そうすると、スイッチング素子Ｑ１は、電圧Ｖｓがほぼゼロの状態でオンされるソフトスイッチングとなる結果、スイッチング素子Ｑ１での電力損失が低減され、かつスイッチング素子Ｑ１が劣化したり損傷したりするおそれが低減される。
【００９０】
このように、ダイオードＤ１に順方向電流が流れて電圧Ｖｓがほぼゼロになっているときに、スイッチング素子Ｑ１をオンさせるように、スイッチング周期Ｔｓ１、及びオン期間Ｔｏｎ１が予め設定されている。同様に、スイッチング周期Ｔｓ１、及びオン期間Ｔｏｎ２に応じてスイッチング素子Ｑ２がオン、オフされることで、スイッチング素子Ｑ２がソフトスイッチングされるようになっている。
【００９１】
また、タイミングｔ３から始まるオン期間Ｔｏｎ１においては、電圧Ｖｓは判定電圧Ｖ１に満たないから、コンパレーター４３の出力端子４３１はハイインピーダンスとなっている。従って、タイミングｔ３から始まるオン期間Ｔｏｎ１では、共振制御部４２１からの制御信号に応じてスイッチング素子Ｑ１がオンされる。
【００９２】
一方、商用電源ＡＣの交流電源電圧が不安定になって、受電端子４０１，４０２間に例えば高電圧が印加される等の異常が生じると、共振回路４１の共振動作に異常が生じる。そのため、タイミングｔ４〜ｔ６の期間、電圧Ｖｓが判定電圧Ｖ１を超えて、コンパレーター４３が出力端子４３１（信号ラインＬ１）をローレベルにする。
【００９３】
そして、本来であれば電圧Ｖｓがほぼ０Ｖになっているはずのタイミングｔ５において、オン期間Ｔｏｎ１が開始されるから、共振制御部４２１は、スイッチング素子Ｑ１をオンさせるべく信号ラインＬ１に接続された制御部４２の出力端子４２５をハイインピーダンスにする。しかしながら、信号ラインＬ１は、コンパレーター４３によってローレベルにされているため、タイミングｔ５から開始されるオン期間Ｔｏｎ１において、スイッチング素子Ｑ１はオフ状態のまま維持される。
【００９４】
これにより、スイッチング素子Ｑ１は、印加されている電圧がゼロではなく、高電圧になっている状態でオンされる、いわゆるハードスイッチングされるおそれが低減される。その結果、カレントトランスを用いることなく、電源電圧変動によるスイッチング素子Ｑ１の故障が発生するおそれを低減することができる。
【００９５】
また、スイッチング素子Ｑ１がオフ状態に維持されている間は、受電端子４０１，４０２間の電圧の大部分がスイッチング素子Ｑ１にかかるので、スイッチング素子Ｑ２に印加される電圧が低減される。その結果、カレントトランスを用いることなく、電源電圧変動によるスイッチング素子Ｑ２の故障が発生するおそれを低減することができる。
【００９６】
また、タイミングｔ５においては、オン期間Ｔｏｎ１であって、かつコンパレーター４３の出力がローレベルである条件が成立する。そのため、計数部４２２が、計数値ＣＴを１加算する。計数部４２２は、設定時間Ｔｃ毎に計数値ＣＴの計数を繰り返すので、例えばタイミングｔ５から設定時間Ｔｃ以内であるタイミングｔ７において、オン期間Ｔｏｎ１であって、かつコンパレーター４３の出力がローレベルである条件が成立すると、計数部４２２は、再び計数値ＣＴに１加算する。
【００９７】
このようにして計数部４２２による計数値ＣＴの加算が繰り返され、例えば設定時間Ｔｃの計時が開始されたタイミングｔ５から設定時間Ｔｃ以内であるタイミングｔ８（図５）において、計数値ＣＴが判定回数Ｃｊ（例えばＣｊ＝１０）を超えると、共振制御部４２１は、以後のスイッチング素子Ｑ１，Ｑ２のスイッチング周期をスイッチング周期Ｔｓ１より短いスイッチング周期Ｔｓ２に変更する。
【００９８】
設定時間Ｔｃ以内に計数値ＣＴが判定回数Ｃｊを超えることは、商用電源ＡＣが不安定であることを意味している。そこで、スイッチング素子Ｑ１，Ｑ２のスイッチング周期をスイッチング周期Ｔｓ２に変更することにより、スイッチング素子Ｑ１，Ｑ２のスイッチング周期と共振回路４１の共振周期との差異が増大し、共振によってオフ状態のスイッチング素子Ｑ１，Ｑ２に印加される電圧が低下する。その結果、スイッチング素子Ｑ１，Ｑ２のスイッチングに伴いスイッチング素子Ｑ１，Ｑ２に加えられる電圧ストレスが低減されるので、カレントトランスを用いることなく、電源電圧変動によるスイッチング素子Ｑ１，Ｑ２の故障が発生するおそれを低減することができる。
【００９９】
なお、共振制御部４２１は、スイッチング周期のスイッチング周期Ｔｓ１からスイッチング周期Ｔｓ２への変更に伴い、オン期間Ｔｏｎ１、オフ期間Ｔｏｆｆ１、オン期間Ｔｏｎ２、及びオフ期間Ｔｏｆｆ２を同じ比率で短縮してもよく、オン期間Ｔｏｎ１、及びオン期間Ｔｏｎ２のみを短縮してもよく、オフ期間Ｔｏｆｆ１、及びオフ期間Ｔｏｆｆ２のみを短縮してもよい。
【０１００】
また、計数値ＣＴが判定回数Ｃｊを超えたタイミングｔ８において、報知部４２３によって、例えば表示部９に電源が不安定であることを示すメッセージが表示され、ユーザーに電源状況を知らせて注意を喚起することができる。
【０１０１】
そして、タイミングｔ５から設定時間Ｔｃが経過したタイミングｔ９において、計数部４２２は、計数値ＣＴをゼロに初期化すると共に、再びタイミングｔ９からの経過時間の計時を開始する。そして、タイミングｔ９から設定時間Ｔｃが経過したタイミングｔ１０において、計数値ＣＴが判定回数Ｃｊを超えておらず、例えば０であった場合、商用電源ＡＣの状態が安定したと考えられる。
【０１０２】
そこで、この場合、共振制御部４２１は、スイッチング素子Ｑ１，Ｑ２のスイッチング周期をスイッチング周期Ｔｓ２からスイッチング周期Ｔｓ１に戻すと共に、スイッチング周期をスイッチング周期Ｔｓ２からスイッチング周期Ｔｓ１に戻したことを示す情報を記憶部４２４に記憶させ、報知部４２３は、表示部９に表示していた電源が不安定であることを示すメッセージを消去すると共にメッセージを消去したことを示す情報を記憶部４２４に記憶させる。
【０１０３】
例えば保守作業者が画像形成装置１の保守作業を行う場合、表示部９に電源が不安定であることを示すメッセージが表示されていたり、スイッチング素子Ｑ１，Ｑ２のスイッチング周期がスイッチング周期Ｔｓ２になっていたりすれば、電源事情が不安定であると判断して、例えば電源配線を強化したり、電源フィルターを画像形成装置１に取り付けたりすることで、画像形成装置１に供給される電源電圧を安定化することが可能である。
【０１０４】
しかしながら、一時的に電源電圧が安定化して表示部９のメッセージが消去され、スイッチング素子Ｑ１，Ｑ２のスイッチング周期がスイッチング周期Ｔｓ１に戻された状態になっていると、保守作業者が電源状況を把握することができない。そこで、スイッチング周期をスイッチング周期Ｔｓ２からスイッチング周期Ｔｓ１に戻したことを示す情報、及びメッセージを消去したことを示す情報を記憶部４２４に記憶させるようにすると、保守作業者が、記憶部４２４の記憶内容を確認することで電源状況を把握することが可能になる。
【０１０５】
なお、共振制御回路４０は、記憶部４２４を備えない構成であってもよく、報知部４２３を備えない構成であってもよい。また、計数部４２２を備えず、共振制御部４２１は、スイッチング素子Ｑ１，Ｑ２のスイッチング周期をスイッチング周期Ｔｓ１からスイッチング周期Ｔｓ２に変更しなくてもよい。
【０１０６】
また、スイッチング素子Ｑ１を第２スイッチング素子、スイッチング素子Ｑ２を第１スイッチング素子、ダイオードＤ１を第２ダイオード、ダイオードＤ２を第１ダイオードとし、コンパレーター４３は、スイッチング素子Ｑ２のエミッタ−コレクタ間電圧を電圧Ｖｓとして判定電圧Ｖ１と比較する構成であってもよい。
【符号の説明】
【０１０７】
１  画像形成装置
２  本体部
９  表示部
２１  画像形成部
２８  定着装置
４０  共振制御回路
４１  共振回路
４２  制御部
４３  コンパレーター
２００  プラットフォーム
２０１  コイル支持部
２６１，２６２  ローラ
２６３  ベルト
４０１，４０２  受電端子
４２１  共振制御部
４２２  計数部
４２３  報知部
４２４  記憶部
５３０  コイルユニット
５３１  励磁コイル
５３３  サイドコア
５３４  アーチコア
５３５  センタコア
５３８  導電性シャフト
５３９  磁性筒
ＡＣ  商用電源
Ｂ１，Ｂ２  ゲートドライバー
Ｃ１，Ｃ２  共振コンデンサ
Ｃ３，Ｃ４  部分共振コンデンサ
Ｃｊ  判定回数
ＣＴ  計数値
Ｄ１，Ｄ２  ダイオード
ＤＢ  ダイオードブリッジ
Ｅ１  基準電圧源
Ｌ１，Ｌ２  信号ライン
Ｑ１，Ｑ２  スイッチング素子
Ｒ１，Ｒ２，Ｒ３  抵抗
Ｔｃ  設定時間
Ｔｃｙｃ  共振周期
Ｔｏｆｆ１，Ｔｏｆｆ２  オフ期間
Ｔｏｎ１，Ｔｏｎ２  オン期間
Ｔｓ１，Ｔｓ２  スイッチング周期
Ｖ１  判定電圧
Ｖｓ  電圧
【図１】
2014124016.tif 000003
【図２】
2014124016.tif 000004
【図３】
2014124016.tif 000005
【図４】
2014124016.tif 000006
【図５】
2014124016.tif 000007